(57)【要約】【課題】表示品位の低下を抑制することが可能な液晶表示装置を提供する。【解決手段】第１基板と、前記第１基板と対向する第２基板と、前記第１基板と前記第２基板との間に保持された液晶層と、第１方向に順に並んだ第１主遮光部、第２主遮光部、及び、第３主遮光部と、第１方向に交差する第２方向に順に並んだ第１副遮光部及び第２副遮光部と、前記第１主遮光部と前記第１副遮光部とが交差する交差部と対向する位置に配置され、前記第１基板と前記第２基板との間に介在するスペーサと、を備え、前記第１副遮光部について、前記第１主遮光部と前記第２主遮光部との間の第２方向に沿った幅は、前記第２主遮光部と前記第３主遮光部との間の第２方向に沿った幅よりも大きく、前記第２副遮光部について、前記第１主遮光部と前記第２主遮光部との間の第２方向に沿った幅は、前記第２主遮光部と前記第３主遮光部との間の第２方向に沿った幅よりも小さい、液晶表示装置。【選択図】図４Ａ
2016122175.tif 000002
【特許請求の範囲】
【請求項１】
第１基板と、
前記第１基板と対向する第２基板と、
前記第１基板と前記第２基板との間に保持された液晶層と、
第１方向に順に並んだ第１主遮光部、第２主遮光部、及び、第３主遮光部と、
第１方向に交差する第２方向に順に並んだ第１副遮光部及び第２副遮光部と、
前記第１主遮光部と前記第１副遮光部とが交差する交差部と対向する位置に配置され、前記第１基板と前記第２基板との間に介在するスペーサと、を備え、
前記第１副遮光部について、前記第１主遮光部と前記第２主遮光部との間の第２方向に沿った幅は、前記第２主遮光部と前記第３主遮光部との間の第２方向に沿った幅よりも大きく、
前記第２副遮光部について、前記第１主遮光部と前記第２主遮光部との間の第２方向に沿った幅は、前記第２主遮光部と前記第３主遮光部との間の第２方向に沿った幅よりも小さい、液晶表示装置。
【請求項２】
さらに、前記第１主遮光部及び前記第２主遮光部と、前記第１副遮光部及び前記第２副遮光部とで区画された第１開口部と、
前記第２主遮光部及び前記第３主遮光部と、前記第１副遮光部及び前記第２副遮光部とで区画された第２開口部と、を備え、
前記第１開口部は、前記第２開口部よりも前記スペーサから離間する側にずれている、請求項１に記載の液晶表示装置。
【請求項３】
前記第２副遮光部は、前記第１基板に形成された第１遮光膜と、前記第２基板に形成された第２遮光膜と、を備え、
前記第１遮光膜は、前記第１主遮光部と前記第２主遮光部との間で第１方向に延出し、
前記第２遮光膜は、前記第１主遮光部と前記第２主遮光部との間で途切れ、前記第２主遮光部と前記第３主遮光部との間で第１方向に延出している、
請求項１または２に記載の液晶表示装置。
【請求項４】
前記第２副遮光部は、前記第２基板に形成された第２遮光膜を備え、
前記第２遮光膜は、前記第１主遮光部と前記第２主遮光部との間の第２方向に沿った幅が、前記第２主遮光部と前記第３主遮光部との間の第２方向に沿った幅よりも小さい、請求項１または２に記載の液晶表示装置。
【請求項５】
第１基板と、
前記第１基板と対向する第２基板と、
前記第１基板と前記第２基板との間に保持された液晶層と、
第１方向に順に並んだ第１主遮光部及び第２主遮光部と、
第１方向に交差する第２方向に順に並んだ第１副遮光部、第２副遮光部、及び、第３副遮光部と、
前記第１主遮光部と前記第１副遮光部とが交差する交差部と対向する位置に配置され、前記第１基板と前記第２基板との間に介在するスペーサと、を備え、
前記第１主遮光部について、前記第１副遮光部と前記第２副遮光部との間の第１方向に沿った幅は、前記第２副遮光部と前記第３副遮光部との間の第１方向に沿った幅よりも小さい、液晶表示装置。
【請求項６】
前記第２主遮光部について、前記第１副遮光部と前記第２副遮光部との間の第１方向に沿った幅は、前記第２副遮光部と前記第３副遮光部との間の第１方向に沿った幅よりも小さい、請求項５に記載の液晶表示装置。
【請求項７】
さらに、前記第１主遮光部及び前記第２主遮光部と、前記第１副遮光部及び前記第２副遮光部とで区画された第１開口部と、
前記第１主遮光部及び前記第２主遮光部と、前記第２副遮光部及び前記第３副遮光部とで区画された第２開口部と、を備え、
前記第１開口部の第１方向に沿った幅は、前記第２開口部の第１方向に沿った幅よりも大きい、請求項５または６に記載の液晶表示装置。
【請求項８】
第１基板と、
前記第１基板と対向する第２基板と、
前記第１基板と前記第２基板との間に保持された液晶層と、
第１方向に順に並んだ第１乃至第４開口部を区画するとともに、前記第１開口部の第２方向に並んだ第５開口部及び前記第４開口部の第２方向に並んだ第６開口部を区画し、且つ、前記第５開口部と前記第６開口部との間であって前記第２開口部及び前記第３開口部の第２方向に並んだ領域に延在した延在部を有する遮光部と、
前記延在部と対向する位置に配置され、前記第１基板と前記第２基板との間に介在するスペーサと、
を備えた、液晶表示装置。
【請求項９】
第１方向に順に並んだ第１乃至第４ソース配線、及び、第２方向に順に並んだ第１乃至第３ゲート配線を備えた第１基板と、
前記第１基板と対向する第２基板と、
前記第１基板と前記第２基板との間に保持された液晶層と、
前記第１乃至第４ソース配線とそれぞれ対向する第１乃至第４主遮光部と、
前記第１乃至第４主遮光部と交差し、前記第２ゲート配線と対向する副遮光部と、
前記第２ソース配線と前記第３ソース配線との間に位置するスペーサと、
前記スペーサの周囲に位置するスペーサ遮光部と、を備え、
前記スペーサ遮光部は、
前記第１主遮光部と前記第２主遮光部との間において前記第２主遮光部及び前記副遮光部と一体的に形成された第１部分と、
前記第２主遮光部と前記第３主遮光部との間において、前記第２主遮光部、前記第３主遮光部、及び、前記副遮光部と一体的に形成された第２部分と、
前記第３主遮光部と前記第４主遮光部との間において前記第３主遮光部及び前記副遮光部と一体的に形成された第３部分と、を有する、液晶表示装置。
【請求項１０】
さらに、前記第１ソース配線と前記第２ソース配線との間に位置する第１中継電極と、前記第２ソース配線と前記第３ソース配線との間に位置する第２中継電極と、前記第３ソース配線と前記第４ソース配線との間に位置する第３中継電極と、を備え、
前記第１中継電極及び前記第３中継電極は、第１方向に沿った同一直線上に位置し、
前記第２中継電極は、前記第１中継電極よりも前記第２ゲート配線から離間する側に延出している、請求項９に記載の液晶表示装置。
【請求項１１】
さらに、第１コンタクトホールを介して前記第１中継電極と電気的に接続される第１画素電極と、第２コンタクトホールを介して前記第２中継電極と電気的に接続される第２画素電極と、第３コンタクトホールを介して前記第３中継電極と電気的に接続される第３画素電極と、を備え、
前記第１コンタクトホール及び前記第３コンタクトホールは、第１方向に沿った同一直線上に位置し、前記第２コンタクトホールは、前記第１コンタクトホールよりも前記第２ゲート配線から離間する側に位置している、請求項１０に記載の液晶表示装置。
【請求項１２】
前記スペーサは、平面視で、その一部が前記第２中継電極と重なり、前記第２コンタクトホールとは重なっていない、請求項１１に記載の液晶表示装置。
【請求項１３】
前記第２コンタクトホールは、平面視で、前記第２部分と重なっている、請求項１２に記載の液晶表示装置。
【請求項１４】
前記第１乃至第３部分は、前記第２ゲート配線よりも前記第１ゲート配線側に位置する、請求項９に記載の液晶表示装置。
【請求項１５】
前記スペーサ遮光部は、さらに、前記第２ゲート配線よりも前記第３ゲート配線側に位置する第４乃至第６部分を有し、
前記第４部分は、前記第１主遮光部と前記第２主遮光部との間において前記第２主遮光部及び前記副遮光部と一体的に形成され、
前記第５部分は、前記第２主遮光部と前記第３主遮光部との間において、前記第２主遮光部、前記第３主遮光部、及び、前記副遮光部と一体的に形成され、
前記第６部分は、前記第３主遮光部と前記第４主遮光部との間において前記第３主遮光部及び前記副遮光部と一体的に形成された、請求項１４に記載の液晶表示装置。
【請求項１６】
前記スペーサ遮光部は、さらに、前記第２主遮光部と前記第３主遮光部との間において、前記第２主遮光部、前記第３主遮光部、及び、前記副遮光部と一体的に形成された第４部分を有し、
前記第２部分は、前記第２ゲート配線よりも前記第１ゲート配線側に位置し、
前記第４部分は、前記第２ゲート配線よりも前記第３ゲート配線側に位置する、請求項９に記載の液晶表示装置。
【請求項１７】
前記第１部分は、前記第２ゲート配線よりも前記第３ゲート配線側に位置する、請求項１６に記載の液晶表示装置。
【請求項１８】
前記第３部分は、前記第２ゲート配線よりも前記第１ゲート配線側に位置する、請求項１７に記載の液晶表示装置。
【発明の詳細な説明】
【技術分野】
【０００１】
本発明の実施形態は、液晶表示装置に関する。
【背景技術】
【０００２】
液晶表示装置は、例えば、一対の基板間に所定のギャップを形成するための柱状のスペーサを備えている。スペーサの周囲では、液晶分子の配向不良などに起因して光漏れが生ずるおそれがある。このような光漏れ対策として、例えば、スペーサと重なる遮光層の面積がスペーサと重ならない遮光層の面積よりも大きく形成される技術が知られている。また、他の例では、スペーサと重なる拡張部及びスペーサと重ならない拡張部を有する遮光層を配置して、スペーサが配置される画素とスペーサが配置されない画素とで開口率の差を低減する技術も知られている。
【先行技術文献】
【特許文献】
【０００３】
【特許文献１】特開２０１３−７９５５号公報
【特許文献２】特開２０１４−２３８５号公報
【発明の概要】
【発明が解決しようとする課題】
【０００４】
本実施形態の目的は、表示品位の低下の抑制が可能な液晶表示装置を提供することにある。
【課題を解決するための手段】
【０００５】
本実施形態によれば、
第１基板と、前記第１基板と対向する第２基板と、前記第１基板と前記第２基板との間に保持された液晶層と、第１方向に順に並んだ第１主遮光部、第２主遮光部、及び、第３主遮光部と、第１方向に交差する第２方向に順に並んだ第１副遮光部及び第２副遮光部と、前記第１主遮光部と前記第１副遮光部とが交差する交差部と対向する位置に配置され、前記第１基板と前記第２基板との間に介在するスペーサと、を備え、前記第１副遮光部について、前記第１主遮光部と前記第２主遮光部との間の第２方向に沿った幅は、前記第２主遮光部と前記第３主遮光部との間の第２方向に沿った幅よりも大きく、前記第２副遮光部について、前記第１主遮光部と前記第２主遮光部との間の第２方向に沿った幅は、前記第２主遮光部と前記第３主遮光部との間の第２方向に沿った幅よりも小さい、液晶表示装置が提供される。
【０００６】
本実施形態によれば、
第１基板と、前記第１基板と対向する第２基板と、前記第１基板と前記第２基板との間に保持された液晶層と、第１方向に順に並んだ第１主遮光部及び第２主遮光部と、第１方向に交差する第２方向に順に並んだ第１副遮光部、第２副遮光部、及び、第３副遮光部と、前記第１主遮光部と前記第１副遮光部とが交差する交差部と対向する位置に配置され、前記第１基板と前記第２基板との間に介在するスペーサと、を備え、前記第１主遮光部について、前記第１副遮光部と前記第２副遮光部との間の第１方向に沿った幅は、前記第２副遮光部と前記第３副遮光部との間の第１方向に沿った幅よりも小さい、液晶表示装置が提供される。
【０００７】
本実施形態によれば、
第１基板と、前記第１基板と対向する第２基板と、前記第１基板と前記第２基板との間に保持された液晶層と、第１方向に順に並んだ第１乃至第４開口部を区画するとともに、前記第１開口部の第２方向に並んだ第５開口部及び前記第４開口部の第２方向に並んだ第６開口部を区画し、且つ、前記第５開口部と前記第６開口部との間であって前記第２開口部及び前記第３開口部の第２方向に並んだ領域に延在した延在部を有する遮光部と、前記延在部と対向する位置に配置され、前記第１基板と前記第２基板との間に介在するスペーサと、を備えた、液晶表示装置が提供される。
【０００８】
本実施形態によれば、
第１方向に順に並んだ第１乃至第４ソース配線、及び、第２方向に順に並んだ第１乃至第３ゲート配線を備えた第１基板と、前記第１基板と対向する第２基板と、前記第１基板と前記第２基板との間に保持された液晶層と、前記第１乃至第４ソース配線とそれぞれ対向する第１乃至第４主遮光部と、前記第１乃至第４主遮光部と交差し、前記第２ゲート配線と対向する副遮光部と、前記第２ソース配線と前記第３ソース配線との間に位置するスペーサと、前記スペーサの周囲に位置するスペーサ遮光部と、を備え、前記スペーサ遮光部は、前記第１主遮光部と前記第２主遮光部との間において前記第２主遮光部及び前記副遮光部と一体的に形成された第１部分と、前記第２主遮光部と前記第３主遮光部との間において、前記第２主遮光部、前記第３主遮光部、及び、前記副遮光部と一体的に形成された第２部分と、前記第３主遮光部と前記第４主遮光部との間において前記第３主遮光部及び前記副遮光部と一体的に形成された第３部分と、を有する、液晶表示装置が提供される。
【図面の簡単な説明】
【０００９】
【図１】図１は、本実施形態の液晶表示装置を構成する表示パネルＰＮＬの構成を概略的に示す図である。
【図２】図２は、図１に示したアレイ基板ＡＲにおける画素ＰＸの構造例を示す平面図である。
【図３】図３は、図２に示した画素構造を有する表示パネルＰＮＬの構成を概略的に示す断面図である。
【図４Ａ】図４Ａは、遮光部ＳＬ及びスペーサＳＰの第１構成例を示す平面図である。
【図４Ｂ】図４Ｂは、図４Ａに示した副遮光部ＳＬＸ３の構成例を示す平面図である。
【図４Ｃ】図４Ｃは、遮光部ＳＬ及びスペーサＳＰの第１変形例を示す平面図である。
【図５Ａ】図５Ａは、遮光部ＳＬ及びスペーサＳＰの第２構成例を示す平面図である。
【図５Ｂ】図５Ｂは、遮光部ＳＬ及びスペーサＳＰの第２変形例を示す平面図である。
【図６Ａ】図６Ａは、遮光部ＳＬ及びスペーサＳＰの第３構成例を示す平面図である。
【図６Ｂ】図６Ｂは、遮光部ＳＬ及びスペーサＳＰの第３変形例を示す平面図である。
【図７Ａ】図７Ａは、遮光部ＳＬ及びスペーサＳＰの第４構成例を示す平面図である。
【図７Ｂ】図７Ｂは、遮光部ＳＬ及びスペーサＳＰの第４変形例を示す平面図である。
【図８】図８は、遮光部ＳＬ及びスペーサＳＰの第５構成例を示す平面図である。
【図９】図９は、図８に示したスペーサＳＰと対向するアレイ基板ＡＲの構造を示す平面図である。
【図１０】図１０は、遮光部ＳＬ及びスペーサＳＰの第６構成例を示す平面図である。
【図１１】図１１は、遮光部ＳＬ及びスペーサＳＰの第７構成例を示す平面図である。
【図１２】図１２は、遮光部ＳＬ及びスペーサＳＰの第８構成例を示す平面図である。
【図１３】図１３は、遮光部ＳＬ及びスペーサＳＰの第９構成例を示す平面図である。
【図１４】図１４は、単位画素ＵＰの他の構成例を示す図である。
【図１５】図１５は、単位画素ＵＰの他の構成例を示す図である。
【図１６】図１６は、単位画素ＵＰの他の構成例を示す図である。
【発明を実施するための形態】
【００１０】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１１】
図１は、本実施形態の液晶表示装置を構成する表示パネルＰＮＬの構成を概略的に示す図である。
【００１２】
すなわち、表示パネルＰＮＬは、アレイ基板（第１基板）ＡＲと、アレイ基板ＡＲに対向配置された対向基板（第２基板）ＣＴと、アレイ基板ＡＲと対向基板ＣＴとの間に保持された液晶層ＬＱと、を備えている。アレイ基板ＡＲと対向基板ＣＴとは、これらの間に所定のギャップを形成した状態でシール材ＳＥによって貼り合わせられている。ギャップは、後述するスペーサＳＰによって形成される。液晶層ＬＱは、アレイ基板ＡＲと対向基板ＣＴとの間のギャップにおいてシール材ＳＥによって囲まれた内側に保持されている。表示パネルＰＮＬは、シール材ＳＥによって囲まれた内側に、画像を表示するアクティブエリア（表示エリア）ＡＣＴを備えている。アクティブエリアＡＣＴは、マトリクス状に配置された複数の画素ＰＸによって構成されている。
【００１３】
アレイ基板ＡＲは、アクティブエリアＡＣＴにおいて、第１方向Ｘに沿って延出したゲート配線Ｇ、第１方向Ｘに交差する第２方向Ｙに沿って延出したソース配線Ｓ、各画素ＰＸにおいてゲート配線Ｇ及びソース配線Ｓと電気的に接続されたスイッチング素子ＳＷ、各画素ＰＸにおいてスイッチング素子ＳＷと電気的に接続された画素電極ＰＥなどを備えている。コモン電位の共通電極ＣＥは、アレイ基板ＡＲまたは対向基板ＣＴに備えられ、複数の画素電極ＰＥと対向する。なお、ゲート配線Ｇは第１方向Ｘに平行な直線状に形成されていなくても良いし、ソース配線Ｓは第２方向Ｙに平行な直線状に形成されていなくても良い。すなわち、ゲート配線Ｇ及びソース配線Ｓは、屈曲していてもよいし、一部が分岐していても良い。
【００１４】
なお、表示パネルＰＮＬの詳細な構成については説明を省略するが、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの基板主面（Ｘ−Ｙ平面）の法線に沿った縦電界を利用する表示モード、あるいは、基板主面に対して斜め方向に傾斜した傾斜電界を利用する表示モードでは、画素電極ＰＥがアレイ基板ＡＲに備えられる一方で、共通電極ＣＥが対向基板ＣＴに備えられる。また、ＩＰＳ（Ｉｎ−Ｐｌａｎｅ  Ｓｗｉｔｃｈｉｎｇ）モード、ＦＦＳ（Ｆｒｉｎｇｅ  Ｆｉｅｌｄ  Ｓｗｉｔｃｈｉｎｇ）モードなどの基板主面に沿った横電界を利用する表示モードでは、画素電極ＰＥ及び共通電極ＣＥの双方がアレイ基板ＡＲに備えられている。さらには、表示パネルＰＮＬは、上記の縦電界、横電界、及び、傾斜電界を適宜組み合わせて利用する表示モードに対応した構成を有していても良い。
【００１５】
駆動ＩＣチップ２及びフレキシブル・プリンテッド・サーキット（ＦＰＣ）基板３などの表示パネルＰＮＬの駆動に必要な信号供給源は、アクティブエリアＡＣＴよりも外側の周辺エリア（非表示エリア）ＰＲＰに位置している。図示した例では、駆動ＩＣチップ２及びＦＰＣ基板３は、対向基板ＣＴの基板端部ＣＴＥよりも外側に延出したアレイ基板ＡＲの実装部ＭＴに実装されている。
【００１６】
図２は、図１に示したアレイ基板ＡＲにおける画素ＰＸの構造例を示す平面図である。なお、ここでは、表示モードの一例として、ＦＦＳモードを適用した表示パネルＰＮＬの画素構造について説明する。
【００１７】
アレイ基板ＡＲは、ゲート配線Ｇ１及びゲート配線Ｇ２、ソース配線Ｓ１及びソース配線Ｓ２、スイッチング素子ＳＷ、画素電極ＰＥ、共通電極ＣＥ、第１遮光膜ＳＬ１などを備えている。
【００１８】
ゲート配線Ｇ１及びゲート配線Ｇ２は、第１方向Ｘに沿ってそれぞれ延出し、第２方向Ｙに間隔をおいて並んでいる。ソース配線Ｓ１及びソース配線Ｓ２は、概ね第２方向Ｙに沿ってそれぞれ延出し、第１方向Ｘに間隔をおいて並んでいる。ゲート配線Ｇ１及びゲート配線Ｇ２と、ソース配線Ｓ１及びソース配線Ｓ２とは、互いに交差している。
【００１９】
スイッチング素子ＳＷは、ゲート配線Ｇ２とソース配線Ｓ１との交差部付近に位置し、ゲート配線Ｇ２及びソース配線Ｓ１と電気的に接続されている。スイッチング素子ＳＷは、半導体層ＳＣを備えている。半導体層ＳＣは、例えば多結晶シリコン（ｐ−Ｓｉ）によって形成されている。
【００２０】
図示した例のスイッチング素子ＳＷは、ゲート電極ＷＧ１及びゲート電極ＷＧ２を有するダブルゲート構造のスイッチング素子である。ゲート電極ＷＧ１及びゲート電極ＷＧ２は、いずれも半導体層ＳＣと対向するゲート配線Ｇ２の一部である。半導体層ＳＣは、その一端側がソース配線Ｓ１と電気的に接続され、他端側が画素電極ＰＥと電気的に接続されている。ソース配線Ｓ１は、コンタクトホールＣＨ１を介して半導体層ＳＣの一端側にコンタクトしている。半導体層ＳＣの他端側と画素電極ＰＥとの間には、中継電極ＲＥが位置している。中継電極ＲＥは、コンタクトホールＣＨ２を介して半導体層ＳＣの他端側にコンタクトしている。画素電極ＰＥは、コンタクトホールＣＨ３を介して中継電極ＲＥにコンタクトしている。第１遮光膜ＳＬ１は、ソース配線Ｓ１とソース配線Ｓ２との間において、島状に形成されている。この第１遮光膜ＳＬ１は、ゲート電極ＷＧ２と対向する領域において、半導体層ＳＣの背面側に配置されている。
【００２１】
共通電極ＣＥは、複数の画素電極ＰＥと対向するように形成されている。共通電極ＣＥは、画素電極ＰＥの背面側に配置されている。画素電極ＰＥには、共通電極ＣＥと向かい合うスリットＳＬＡが形成されている。スリットＳＬＡは、第１方向Ｘ及び第２方向Ｙとは異なる方向に延出しており、一例では、ソース配線Ｓ１及びソース配線Ｓ２とほぼ平行に延出している。図示した例では、１個の画素電極ＰＥに形成されるスリットＳＬＡの本数は２本であるが、１本でも良いし、３本以上であってもよい。また、スリットが形成されていない画素電極であってもよい。なお、ここでの背面側とは、後述する第１絶縁基板１０と対向する側に相当する。
【００２２】
図３は、図２に示した画素構造を有する表示パネルＰＮＬの構成を概略的に示す断面図である。ここでは、説明に必要な構成のみを図示している。
【００２３】
表示パネルＰＮＬは、アレイ基板ＡＲと、対向基板ＣＴと、液晶層ＬＱと、スペーサＳＰと、を備えている。スペーサＳＰは、アレイ基板ＡＲと対向基板ＣＴとの間に介在している。一例では、スペーサＳＰは、対向基板ＣＴに形成されているが、アレイ基板ＡＲに形成されていても良い。
【００２４】
アレイ基板ＡＲは、ガラス基板や樹脂基板などの透明な第１絶縁基板１０を用いて形成されている。アレイ基板ＡＲは、第１絶縁基板１０の対向基板ＣＴに対向する側に、第１絶縁膜１１、第２絶縁膜１２、第３絶縁膜１３、第４絶縁膜１４、第５絶縁膜１５、ゲート配線Ｇ、ソース配線Ｓ（Ｓ１乃至Ｓ４）、画素電極ＰＥ１乃至ＰＥ３、共通電極ＣＥ、第１配向膜ＡＬ１などを備えている。なお、以下のアレイ基板ＡＲの説明において、「上」とは、対向基板ＣＴに近接する側を意味する。
【００２５】
第１絶縁膜１１は、第１絶縁基板１０の上に配置されている。第２絶縁膜１２は、第１絶縁膜１１の上に配置されている。第３絶縁膜１３は、第２絶縁膜１２の上に配置されている。ソース配線Ｓ（Ｓ１乃至Ｓ４）は、第３絶縁膜１３の上に形成されている。第４絶縁膜１４は、第３絶縁膜１３の上に配置され、ソース配線Ｓ（Ｓ１乃至Ｓ４）を覆っている。なお、図２に示した第１遮光膜ＳＬ１は第１絶縁基板１０と第１絶縁膜１１との間に位置し、スイッチング素子ＳＷの半導体層ＳＣは第１絶縁膜１１と第２絶縁膜１２との間に位置し、ゲート配線Ｇやゲート電極ＷＧ１及びＷＧ２は第２絶縁膜１２と第３絶縁膜１３との間に位置し、中継電極ＲＥは第３絶縁膜１３と第４絶縁膜１４との間に位置している。
【００２６】
共通電極ＣＥは、第４絶縁膜１４の上に配置されている。共通電極ＣＥは、例えば、インジウム・ティン・オキサイド（ＩＴＯ）やインジウム・ジンク・オキサイド（ＩＺＯ）などの透明な導電材料によって形成されている。共通電極ＣＥは、第５絶縁膜１５によって覆われている。
【００２７】
画素電極ＰＥ１乃至ＰＥ３は、第５絶縁膜１５の上に配置され、共通電極ＣＥと向かい合っている。画素電極ＰＥ１乃至３には、それぞれスリットＳＬＡが形成されている。画素電極ＰＥ１乃至ＰＥ３は、例えば、ＩＴＯやＩＺＯなどの透明な導電材料によって形成されている。画素電極ＰＥ１乃至ＰＥ３は、第１配向膜ＡＬ１によって覆われている。第１配向膜ＡＬ１は、第５絶縁膜１５も覆っている。第１配向膜ＡＬ１は、水平配向性を示す材料によって形成され、アレイ基板ＡＲの液晶層ＬＱに接する面に配置されている。
【００２８】
一方、対向基板ＣＴは、ガラス基板や樹脂基板などの透明な第２絶縁基板２０を用いて形成されている。対向基板ＣＴは、第２絶縁基板２０のアレイ基板ＡＲに対向する側に、第２遮光膜ＳＬ２、カラーフィルタＣＦ１乃至ＣＦ３、オーバーコート層ＯＣ、第２配向膜ＡＬ２などを備えている。
【００２９】
第２遮光膜ＳＬ２は、第２絶縁基板２０のアレイ基板ＡＲと対向する側に配置されている。第２遮光膜ＳＬ２は、画素の境界に沿って配置され、画素電極ＰＥ１乃至３とそれぞれ対向する開口部ＡＰ１乃至ＡＰ３を形成する。図示した例では、第２遮光膜ＳＬ２は、ソース配線Ｓ１乃至Ｓ４と対向する位置に形成されている。第２遮光膜ＳＬ２は、黒色の樹脂材料や、遮光性の金属材料によって形成されている。
【００３０】
カラーフィルタＣＦ１乃至ＣＦ３のそれぞれは、第２絶縁基板２０のアレイ基板ＡＲと対向する側に配置され、その一部が第２遮光膜ＳＬ２に重なっている。一例では、カラーフィルタＣＦ１は開口部ＡＰ１に配置され、カラーフィルタＣＦ２は開口部ＡＰ２に配置され、カラーフィルタＣＦ３は開口部ＡＰ３に配置されている。カラーフィルタＣＦ１乃至ＣＦ３は、互いに異なる色に着色された樹脂材料によって形成されている。一例では、カラーフィルタＣＦ１は赤色のカラーフィルタであり、カラーフィルタＣＦ２は緑色のカラーフィルタであり、カラーフィルタＣＦ３は青色のカラーフィルタである。なお、これらのカラーフィルタＣＦ１乃至ＣＦ３の他に、青、赤、緑とは異なる色のカラーフィルタが追加されてもよく、一例では白色あるいは実質的に透明のカラーフィルタが追加されても良い。
【００３１】
オーバーコート層ＯＣは、カラーフィルタＣＦ１乃至ＣＦ３を覆っている。オーバーコート層ＯＣは、透明な樹脂材料によって形成されている。第２配向膜ＡＬ２は、オーバーコート層ＯＣを覆っている。第２配向膜ＡＬ２は、水平配向性を示す材料によって形成され、対向基板ＣＴの液晶層ＬＱに接する面に配置されている。
【００３２】
スペーサＳＰは、例えば柱状に形成され、オーバーコート層ＯＣからアレイ基板ＡＲに向かって延出している。このスペーサＳＰは、ソース配線Ｓと対向する位置に形成されており、図示した例では、ゲート配線Ｇとソース配線Ｓとが交差する位置に対向している。
【００３３】
上述したようなアレイ基板ＡＲと対向基板ＣＴとは、第１配向膜ＡＬ１及び第２配向膜ＡＬ２が向かい合うように配置されている。このとき、アレイ基板ＡＲと対向基板ＣＴの間には、後述する柱状のスペーサＳＰにより、所定のセルギャップが形成される。アレイ基板ＡＲと対向基板ＣＴとは、セルギャップが形成された状態でシール材ＳＥによって貼り合わせられている。液晶層ＬＱは、アレイ基板ＡＲの第１配向膜ＡＬ１と対向基板ＣＴの第２配向膜ＡＬ２との間に封入されている。
【００３４】
このような構成の表示パネルＰＮＬに対して、その背面側には、バックライトユニットＢＬが配置されている。バックライトユニットＢＬとしては、種々の形態が適用可能であるが、その詳細な構造については説明を省略する。
【００３５】
アレイ基板ＡＲの外面すなわち第１絶縁基板１０の外面には、第１偏光板ＰＬ１を含む第１光学素子ＯＤ１が配置されている。対向基板ＣＴの外面すなわち第２絶縁基板２０の外面には、第２偏光板ＰＬ２を含む第２光学素子ＯＤ２が配置されている。第１偏光板ＰＬ１の第１吸収軸及び第２偏光板ＰＬ２の第２吸収軸は、例えばクロスニコルの位置関係にある。
【００３６】
次に、遮光部ＳＬの第１構成例について説明する。
【００３７】
図４Ａは、遮光部ＳＬ及びスペーサＳＰの第１構成例を示す平面図である。  
遮光部ＳＬは、第１方向Ｘに並んだ複数の主遮光部ＳＬＹと、第２方向Ｙに並んだ複数の副遮光部ＳＬＸとを備えている。これらの主遮光部ＳＬＹ及び副遮光部ＳＬＸは、主に第２遮光膜ＳＬ２によって形成されている。また、副遮光部ＳＬＸの少なくとも一部は、第１遮光膜ＳＬ１によって形成されている。
【００３８】
主遮光部ＳＬＹは、第２方向Ｙに沿って延出している。図示した例では、主遮光部ＳＬＹは、その一部が屈曲し、第１方向Ｘ及び第２方向Ｙとは異なる方向に平行な部分を有しているが、その延出方向は概ね第２方向Ｙと平行である。副遮光部ＳＬＸは、第１方向Ｘに沿って直線状に延出している。これらの主遮光部ＳＬＹ及び副遮光部ＳＬＸは、互いに交差し、マトリクス状に並んだ開口部ＡＰを形成する。
【００３９】
カラー表示を実現するための単位画素ＵＰは、複数の異なる色画素によって構成されている。単位画素ＵＰとは、アクティブエリアに表示されるカラー画像を構成する最小単位である。図示した例では、単位画素ＵＰは、第１方向Ｘに並んだ３つの画素ＰＸＲ、ＰＸＧ、ＰＸＢによって構成されている。画素ＰＸＲは赤色を表示する赤色画素であり、画素ＰＸＧは緑色を表示する緑色画素であり、画素ＰＸＧは青色を表示する青色画素である。各開口部ＡＰは、画素ＰＸＲ、画素ＰＸＧ、及び、画素ＰＸＢに対応して形成されている。
【００４０】
カラーフィルタＣＦ１乃至ＣＦ３の各々は、第２方向Ｙに沿って延出し、第２方向Ｙに並んだ複数の開口部ＡＰと重なっている。カラーフィルタＣＦ１乃至ＣＦ３は、この順に第１方向Ｘに並んでいる。隣り合うカラーフィルタ同士の端部は、主遮光部ＳＬＹと重なっている。一例では、カラーフィルタＣＦ１は赤色に着色されたカラーフィルタであり、カラーフィルタＣＦ２は緑色に着色されたカラーフィルタであり、カラーフィルタＣＦ３は青色に着色されたカラーフィルタである。
【００４１】
ここで、複数の主遮光部ＳＬＹのうちの主遮光部ＳＬＹ１乃至ＳＬＹ４、及び、複数の副遮光部ＳＬＸのうちの副遮光部ＳＬＸ１乃至ＳＬＸ３に着目する。副遮光部ＳＬＸ２は、主遮光部ＳＬＹ１と主遮光部ＳＬＹ３との間で第２方向Ｙに拡張されている。つまり、副遮光部ＳＬＸ２について、主遮光部ＳＬＹ１と主遮光部ＳＬＹ２との間の第２方向Ｙに沿った幅Ｗ１、及び、主遮光部ＳＬＹ２と主遮光部ＳＬＹ３との間の第２方向Ｙに沿った幅Ｗ２は、主遮光部ＳＬＹ３と主遮光部ＳＬＹ４との間の第２方向Ｙに沿った幅Ｗ３よりも大きい。このため、主遮光部ＳＬＹ２と副遮光部ＳＬＸ２との交差部ＣＲは、他の主遮光部と副遮光部との交差部よりも大きな面積を有するように拡張されている。
【００４２】
スペーサＳＰは、拡張された交差部ＣＲと対向する位置に配置されている。このスペーサＳＰは、交差部ＣＲのほぼ中央に位置している。つまり、スペーサＳＰは、副遮光部ＳＬＸ２と同一直線上に位置している。このため、スペーサＳＰの周辺は、比較的広い範囲に亘って遮光されている。
【００４３】
一方、副遮光部ＳＬＸ１は、主遮光部ＳＬＹ１と主遮光部ＳＬＹ３との間で第２方向Ｙに縮小されている。つまり、副遮光部ＳＬＸ１について、主遮光部ＳＬＹ１と主遮光部ＳＬＹ２との間の第２方向Ｙに沿った幅Ｗ１１、及び、主遮光部ＳＬＹ２と主遮光部ＳＬＹ３との間の第２方向Ｙに沿った幅Ｗ１２は、主遮光部ＳＬＹ３と主遮光部ＳＬＹ４との間の第２方向Ｙに沿った幅Ｗ１３よりも小さい。なお、幅Ｗ１１と幅Ｗ１２とはほぼ同等である。同様に、副遮光部ＳＬＸ３は、主遮光部ＳＬＹ１と主遮光部ＳＬＹ３との間で第２方向Ｙに縮小されている。つまり、副遮光部ＳＬＸ３について、主遮光部ＳＬＹ１と主遮光部ＳＬＹ２との間の第２方向Ｙに沿った幅Ｗ２１、及び、主遮光部ＳＬＹ２と主遮光部ＳＬＹ３との間の第２方向Ｙに沿った幅Ｗ２２は、主遮光部ＳＬＹ３と主遮光部ＳＬＹ４との間の第２方向Ｙに沿った幅Ｗ２３よりも小さい。なお、幅Ｗ２１と幅Ｗ２２とはほぼ同等である。
【００４４】
開口部ＡＰ１乃至ＡＰ３は、第１方向Ｘにこの順に並んでいる。開口部ＡＰ１は、主遮光部ＳＬＹ１及びＳＬＹ２と副遮光部ＳＬＸ１及びＳＬＸ２とで区画されている。開口部ＡＰ２は、主遮光部ＳＬＹ２及びＳＬＹ３と副遮光部ＳＬＸ１及びＳＬＸ２とで区画されている。開口部ＡＰ３は、主遮光部ＳＬＹ３及びＳＬＹ４と副遮光部ＳＬＸ１及びＳＬＸ２とで区画されている。開口部ＡＰ１及び開口部ＡＰ２は、開口部ＡＰ３よりも第２方向Ｙに沿ってスペーサＳＰから離間する側にずれている。開口部ＡＰ１及び開口部ＡＰ２のそれぞれの面積は、開口部ＡＰ３の面積とほぼ同等である。
【００４５】
開口部ＡＰ４乃至ＡＰ６は、第１方向Ｘにこの順に並んでいる。開口部ＡＰ４は、主遮光部ＳＬＹ１及びＳＬＹ２と副遮光部ＳＬＸ２及びＳＬＸ３とで区画されている。開口部ＡＰ５は、主遮光部ＳＬＹ２及びＳＬＹ３と副遮光部ＳＬＸ２及びＳＬＸ３とで区画されている。開口部ＡＰ６は、主遮光部ＳＬＹ３及びＳＬＹ４と副遮光部ＳＬＸ２及びＳＬＸ３とで区画されている。開口部ＡＰ４及び開口部ＡＰ５は、開口部ＡＰ６よりも第２方向Ｙに沿ってスペーサＳＰから離間する側にずれている。開口部ＡＰ４及び開口部ＡＰ５のそれぞれの面積は、開口部ＡＰ６の面積とほぼ同等である。
【００４６】
つまり、第１構成例においては、主遮光部ＳＬＹ２と副遮光部ＳＬＸ２とが交差する交差部ＣＲを拡張して、スペーサＳＰを配置するとともにスペーサＳＰの周囲を遮光する領域を形成する一方で、スペーサＳＰを中心として四方に位置する開口部（図示した例ではＡＰ１、ＡＰ２、ＡＰ４、ＡＰ５）をそれぞれ第２方向Ｙにずらして形成し、交差部ＣＲを拡張したことによる開口部の面積の低下を抑制している。つまり、スペーサＳＰが配置される位置の周辺は、比較的広い範囲に亘って遮光されている。このため、スペーサＳＰの周囲で液晶分子の配向不良が生じたとしても、これに起因した光漏れを抑制することが可能となる。また、光漏れに起因したコントラスト比の低下を抑制することが可能となる。したがって、表示品位の低下を抑制することが可能となる。
【００４７】
加えて、スペーサＳＰの位置を中心とした周囲の開口部の面積の低下を抑制し、開口率の差に起因した視認性の劣化を抑制することが可能となる。したがって、表示品位の低下をさらに抑制することが可能となる。
【００４８】
図４Ｂは、図４Ａに示した副遮光部ＳＬＸ３の構成例を示す平面図である。  
副遮光部ＳＬＸ３は、図２などを参照して説明した第１遮光膜ＳＬ１と、図３などを参照して説明した第２遮光膜ＳＬ２とで構成されている。なお、第２遮光膜ＳＬ２については、図中に一点鎖線で示している。
【００４９】
第１遮光膜ＳＬ１は、主遮光部ＳＬＹ１と主遮光部ＳＬＹ２との間、及び、主遮光部ＳＬＹ２と主遮光部ＳＬＹ３との間に亘って第１方向Ｘに延出したセグメントＳＬ１１と、主遮光部ＳＬＹ３と主遮光部ＳＬＹ４との間に島状に形成されたセグメントＳＬ１２と、を備えている。つまり、セグメントＳＬ１１は、主遮光部ＳＬＹ１と主遮光部ＳＬＹ３との間で第１方向Ｘに延出している一方で、主遮光部ＳＬＹ３と主遮光部ＳＬＹ４との間には延出していない。セグメントＳＬ１１及びＳＬ１２は、例えば画素電極ＰＥと中継電極ＲＥとを電気的に接続するコンタクトホールＣＨ３と重なっている。
【００５０】
第２遮光膜ＳＬ２は、主遮光部ＳＬＹ１、主遮光部ＳＬＹ２、主遮光部ＳＬＹ３、主遮光部ＳＬＹ４の他に、主遮光部ＳＬＹ３と主遮光部ＳＬＹ４との間に亘って第１方向Ｘに延出したセグメントＳＬ２１を備えている。セグメントＳＬ２１は、主遮光部ＳＬＹ３及び主遮光部ＳＬＹ４と繋がっている。第２遮光膜ＳＬ２は、主遮光部ＳＬＹ１と主遮光部ＳＬＹ２との間、及び、主遮光部ＳＬＹ２と主遮光部ＳＬＹ３との間で途切れている。
【００５１】
つまり、図示した例では、副遮光部ＳＬＸ３は、主遮光部ＳＬＹ１と主遮光部ＳＬＹ２との間、及び、主遮光部ＳＬＹ２と主遮光部ＳＬＹ３との間においては第１遮光膜ＳＬ１のセグメントＳＬ１１によって構成され、主遮光部ＳＬＹ３と主遮光部ＳＬＹ４との間においては第２遮光膜ＳＬ２のセグメントＳＬ２１によって構成されている。
【００５２】
図４Ａを参照して説明したように、副遮光部ＳＬＸ３において、セグメントＳＬ１１は、主遮光部ＳＬＹ１と主遮光部ＳＬＹ２との間で幅Ｗ２１を有するとともに、主遮光部ＳＬＹ２と主遮光部ＳＬＹ３との間で幅Ｗ２２を有する。また、副遮光部ＳＬＸ３において、セグメントＳＬ２１は、主遮光部ＳＬＹ３と主遮光部ＳＬＹ４との間で、幅Ｗ２１及び幅Ｗ２２よりも大きい幅Ｗ２３を有する。
【００５３】
このような構成の副遮光部ＳＬＸ３を適用することにより、スペーサＳＰを配置するのに伴う開口部の面積の低下を抑制することが可能となる。また、コンタクトホールＣＨ３と重なる領域は第１遮光膜ＳＬ１によって遮光されている。このため、コンタクトホールＣＨ３の窪みに起因したギャップムラあるいは液晶分子の配向乱れが生じたとしても、表示に寄与しないため、表示品位の劣化を抑制することが可能となる。
【００５４】
図４Ｃは、遮光部ＳＬ及びスペーサＳＰの第１変形例を示す平面図である。  
第１変形例は、第１構成例と比較して、単位画素ＵＰが第１方向Ｘに並んだ４つの画素ＰＸＷ、ＰＸＲ、ＰＸＧ、ＰＸＢによって構成された点で相違している。画素ＰＸＷは、白色あるいは実質的に透明な画素である。各開口部ＡＰは、画素ＰＸＷ、画素ＰＸＲ、画素ＰＸＧ、及び、画素ＰＸＢに対応して形成されている。
【００５５】
カラーフィルタＣＦ１乃至ＣＦ４の各々は、第２方向Ｙに沿って延出し、第２方向Ｙに並んだ複数の開口部ＡＰと重なっている。カラーフィルタＣＦ１乃至ＣＦ４は、この順に第１方向Ｘに並んでいる。隣り合うカラーフィルタ同士の端部は、主遮光部ＳＬＹと重なっている。一例では、カラーフィルタＣＦ１は白色あるいは透明なカラーフィルタであり、カラーフィルタＣＦ２は赤色に着色されたカラーフィルタであり、カラーフィルタＣＦ３は緑色に着色されたカラーフィルタであり、カラーフィルタＣＦ４は青色に着色されたカラーフィルタである。
【００５６】
スペーサＳＰは、主遮光部ＳＬＹ２と副遮光部ＳＬＸ２との交差部ＣＲと対向する位置に配置されている。スペーサＳＰの周辺は、拡張された遮光部ＳＬによって比較的広い範囲に亘って遮光されている。
【００５７】
開口部ＡＰ１及び開口部ＡＰ２は、開口部ＡＰ３よりも第２方向Ｙに沿ってスペーサＳＰから離間する側にずれている。開口部ＡＰ１及び開口部ＡＰ２のそれぞれの面積は、開口部ＡＰ３の面積とほぼ同等である。また、開口部ＡＰ４及び開口部ＡＰ５は、開口部ＡＰ６よりも第２方向Ｙに沿ってスペーサＳＰから離間する側にずれている。開口部ＡＰ４及び開口部ＡＰ５のそれぞれの面積は、開口部ＡＰ６の面積とほぼ同等である。  
このような第１変形例においても、上記の第１構成例と同様の効果が得られる。
【００５８】
次に、遮光部ＳＬの第２構成例について説明する。第２構成例は、第１構成例と比較して、遮光部ＳＬの副遮光部ＳＬＸが第２遮光膜ＳＬ２のみによって形成された点で相違している。
【００５９】
図５Ａは、遮光部ＳＬ及びスペーサＳＰの第２構成例を示す平面図である。  
遮光部ＳＬは、第１方向Ｘに並んだ複数の主遮光部ＳＬＹと、第２方向Ｙに並んだ複数の副遮光部ＳＬＸとを備えている。副遮光部ＳＬＸは、第２遮光膜ＳＬ２によって形成されている。図示した例では、主遮光部ＳＬＹも第２遮光膜ＳＬ２によって形成されており、主遮光部ＳＬＹは副遮光部ＳＬＸと繋がっている。各画素の色やカラーフィルタＣＦ１乃至ＣＦ３の色については、第１構成例と同様に選択可能である。
【００６０】
ここで、複数の主遮光部ＳＬＹのうちの主遮光部ＳＬＹ１乃至ＳＬＹ４と、複数の副遮光部ＳＬＸのうちの副遮光部ＳＬＸ１乃至ＳＬＸ３に着目する。なお、スペーサＳＰは、主遮光部ＳＬＹ２と副遮光部ＳＬＸ２との交差部ＣＲと対向する位置に配置されている。
【００６１】
副遮光部ＳＬＸ２について、主遮光部ＳＬＹ１と主遮光部ＳＬＹ２との間の第２方向Ｙに沿った幅Ｗ１、及び、主遮光部ＳＬＹ２と主遮光部ＳＬＹ３との間の第２方向Ｙに沿った幅Ｗ２は、主遮光部ＳＬＹ３と主遮光部ＳＬＹ４との間の第２方向Ｙに沿った幅Ｗ３よりも大きい。副遮光部ＳＬＸ１について、主遮光部ＳＬＹ１と主遮光部ＳＬＹ２との間の第２方向Ｙに沿った幅Ｗ１１、及び、主遮光部ＳＬＹ２と主遮光部ＳＬＹ３との間の第２方向Ｙに沿った幅Ｗ１２は、主遮光部ＳＬＹ３と主遮光部ＳＬＹ４との間の第２方向Ｙに沿った幅Ｗ１３よりも小さい。副遮光部ＳＬＸ３について、主遮光部ＳＬＹ１と主遮光部ＳＬＹ２との間の第２方向Ｙに沿った幅Ｗ２１、及び、主遮光部ＳＬＹ２と主遮光部ＳＬＹ３との間の第２方向Ｙに沿った幅Ｗ２２は、主遮光部ＳＬＹ３と主遮光部ＳＬＹ４との間の第２方向Ｙに沿った幅Ｗ２３よりも小さい。
【００６２】
開口部ＡＰ１及び開口部ＡＰ２は、開口部ＡＰ３よりも第２方向Ｙに沿ってスペーサＳＰから離間する側にずれている。開口部ＡＰ４及び開口部ＡＰ５は、開口部ＡＰ６よりも第２方向Ｙに沿ってスペーサＳＰから離間する側にずれている。  
このような第２構成例によれば、第１構成例と同様の効果が得られる。
【００６３】
図５Ｂは、遮光部ＳＬ及びスペーサＳＰの第２変形例を示す平面図である。  
第２変形例は、第２構成例と比較して、単位画素ＵＰが第１方向Ｘに並んだ４つの画素ＰＸＷ、ＰＸＲ、ＰＸＧ、ＰＸＢによって構成された点で相違している。各開口部ＡＰは、画素ＰＸＷ、画素ＰＸＲ、画素ＰＸＧ、及び、画素ＰＸＢに対応して形成されている。各画素の色やカラーフィルタＣＦ１乃至ＣＦ４の色については、第１変形例と同様に選択可能である。副遮光部ＳＬＸは、いずれも第２遮光膜ＳＬ２によって形成されている。なお、スペーサＳＰは、主遮光部ＳＬＹ２と副遮光部ＳＬＸ２との交差部ＣＲと対向する位置に配置されている。
【００６４】
開口部ＡＰ１及び開口部ＡＰ２は、開口部ＡＰ３よりも第２方向Ｙに沿ってスペーサＳＰから離間する側にずれている。開口部ＡＰ１及び開口部ＡＰ２のそれぞれの面積は、開口部ＡＰ３の面積とほぼ同等である。また、開口部ＡＰ４及び開口部ＡＰ５は、開口部ＡＰ６よりも第２方向Ｙに沿ってスペーサＳＰから離間する側にずれている。開口部ＡＰ４及び開口部ＡＰ５のそれぞれの面積は、開口部ＡＰ６の面積とほぼ同等である。  
このような第２変形例においても、上記の第２構成例と同様の効果が得られる。
【００６５】
次に、遮光部ＳＬの第３構成例について説明する。第３構成例は、第１構成例と比較して、主遮光部の一部が細く形成された点で相違している。
【００６６】
図６Ａは、遮光部ＳＬ及びスペーサＳＰの第３構成例を示す平面図である。  
遮光部ＳＬは、第１方向Ｘに並んだ複数の主遮光部ＳＬＹと、第２方向Ｙに並んだ複数の副遮光部ＳＬＸとを備えている。これらの主遮光部ＳＬＹ及び副遮光部ＳＬＸは、主に第２遮光膜ＳＬ２によって形成されているが、その少なくとも一部が第１遮光膜ＳＬ１によって形成されていても良い。
【００６７】
単位画素ＵＰは、第１方向Ｘに並んだ３つの画素ＰＸＲ、ＰＸＧ、ＰＸＢによって構成されている。各開口部ＡＰは、画素ＰＸＲ、画素ＰＸＧ、及び、画素ＰＸＢに対応して形成されている。各画素の色やカラーフィルタＣＦ１乃至ＣＦ３の色については、第１構成例と同様に選択可能である。
【００６８】
ここで、複数の主遮光部ＳＬＹのうちの主遮光部ＳＬＹ１乃至ＳＬＹ４と、複数の副遮光部ＳＬＸのうちの副遮光部ＳＬＸ１乃至ＳＬＸ４に着目する。主遮光部ＳＬＹ２と副遮光部ＳＬＸ２との交差部ＣＲは、他の主遮光部と副遮光部との交差部よりも大きな面積を有するように拡張されている。スペーサＳＰは、拡張された交差部ＣＲと対向する位置に配置されている。
【００６９】
主遮光部ＳＬＹ２は、副遮光部ＳＬＸ１と副遮光部ＳＬＸ３との間で第１方向Ｘに縮小されている。つまり、主遮光部ＳＬＹ２について、副遮光部ＳＬＸ１と副遮光部ＳＬＸ２との間の第１方向Ｘに沿った幅Ｗ３１、及び、副遮光部ＳＬＸ２と副遮光部ＳＬＸ３との間の第１方向Ｘに沿った幅Ｗ３２は、副遮光部ＳＬＸ３と副遮光部ＳＬＸ４との間の第１方向Ｘに沿った幅Ｗ３３よりも小さい。なお、幅Ｗ３１と幅Ｗ３２とはほぼ同等である。
【００７０】
また、主遮光部ＳＬＹ１について、副遮光部ＳＬＸ１と副遮光部ＳＬＸ２との間の第１方向Ｘに沿った幅Ｗ４１、及び、副遮光部ＳＬＸ２と副遮光部ＳＬＸ３との間の第１方向Ｘに沿った幅Ｗ４２は、副遮光部ＳＬＸ３と副遮光部ＳＬＸ４との間の第１方向Ｘに沿った幅Ｗ４３よりも小さい。なお、幅Ｗ４１と幅Ｗ４２とはほぼ同等である。同様に、主遮光部ＳＬＹ３について、副遮光部ＳＬＸ１と副遮光部ＳＬＸ２との間の第１方向Ｘに沿った幅Ｗ５１、及び、副遮光部ＳＬＸ２と副遮光部ＳＬＸ３との間の第１方向Ｘに沿った幅Ｗ５２は、副遮光部ＳＬＸ３と副遮光部ＳＬＸ４との間の第１方向Ｘに沿った幅Ｗ５３よりも小さい。なお、幅Ｗ５１と幅Ｗ５２とはほぼ同等である。
【００７１】
開口部ＡＰ１乃至ＡＰ３は、第２方向Ｙにこの順に並んでいる。開口部ＡＰ１は、主遮光部ＳＬＹ１及びＳＬＹ２と副遮光部ＳＬＸ１及びＳＬＸ２とで区画されている。開口部ＡＰ２は、主遮光部ＳＬＹ１及びＳＬＹ２と副遮光部ＳＬＸ２及びＳＬＸ３とで区画されている。開口部ＡＰ３は、主遮光部ＳＬＹ１及びＳＬＹ２と副遮光部ＳＬＸ３及びＳＬＸ４とで区画されている。開口部ＡＰ１の第１方向Ｘに沿った幅Ｗ６１、及び、開口部ＡＰ２の第１方向Ｘに沿った幅Ｗ６２は、開口部ＡＰ３の第１方向Ｘに沿った幅Ｗ６３よりも大きい。なお、幅Ｗ６１及び幅Ｗ６２はほぼ同等である。また、開口部ＡＰ１及び開口部ＡＰ２のそれぞれの面積は、開口部ＡＰ３の面積とほぼ同等である。
【００７２】
開口部ＡＰ４乃至ＡＰ６は、第２方向Ｙにこの順に並んでいる。開口部ＡＰ４は、主遮光部ＳＬＹ２及びＳＬＹ３と副遮光部ＳＬＸ１及びＳＬＸ２とで区画されている。開口部ＡＰ５は、主遮光部ＳＬＹ２及びＳＬＹ３と副遮光部ＳＬＸ２及びＳＬＸ３とで区画されている。開口部ＡＰ６は、主遮光部ＳＬＹ２及びＳＬＹ３と副遮光部ＳＬＸ３及びＳＬＸ４とで区画されている。開口部ＡＰ４の第１方向Ｘに沿った幅Ｗ６４、及び、開口部ＡＰ５の第１方向Ｘに沿った幅Ｗ６５は、開口部ＡＰ６の第１方向Ｘに沿った幅Ｗ６６よりも大きい。なお、幅Ｗ６４及び幅Ｗ６５はほぼ同等であり、また幅Ｗ６１及び幅Ｗ６２とも同等である。また、開口部ＡＰ４及び開口部ＡＰ５のそれぞれの面積は、開口部ＡＰ６の面積とほぼ同等である。つまり、開口部ＡＰ１乃至ＡＰ６は、いずれもほぼ同等の面積を有している。
【００７３】
つまり、第３構成例においては、主遮光部ＳＬＹ２と副遮光部ＳＬＸ２とが交差する交差部ＣＲを拡張して、スペーサＳＰを配置するとともにスペーサＳＰの周囲を遮光する領域を形成する一方で、スペーサＳＰを中心として四方に位置する開口部（図示した例ではＡＰ１、ＡＰ２、ＡＰ４、ＡＰ５）をそれぞれ第１方向Ｘに拡張して形成し、交差部ＣＲを拡張したことによる開口部の面積の低下を抑制している。
【００７４】
このような第３構成例によれば、第１構成例と同様の効果が得られる。加えて、スペーサＳＰの位置を中心とした周囲の開口部の面積の低下を抑制し、開口率の差に起因した視認性の劣化を抑制することが可能となる。したがって、表示品位の低下をさらに抑制することが可能となる。
【００７５】
図６Ｂは、遮光部ＳＬ及びスペーサＳＰの第３変形例を示す平面図である。  
第３変形例は、第３構成例と比較して、単位画素ＵＰが第１方向Ｘに並んだ４つの画素ＰＸＷ、ＰＸＲ、ＰＸＧ、ＰＸＢによって構成された点で相違している。各開口部ＡＰは、画素ＰＸＷ、画素ＰＸＲ、画素ＰＸＧ、及び、画素ＰＸＢに対応して形成されている。各画素の色やカラーフィルタＣＦ１乃至ＣＦ４の色については、第１変形例と同様に選択可能である。スペーサＳＰは、主遮光部ＳＬＹ２と副遮光部ＳＬＸ２との交差部ＣＲと対向する位置に配置されている。
【００７６】
開口部ＡＰ１及び開口部ＡＰ２は、開口部ＡＰ３よりも第１方向Ｘに沿って拡張されている。開口部ＡＰ１及び開口部ＡＰ２のそれぞれの面積は、開口部ＡＰ３の面積とほぼ同等である。また、開口部ＡＰ４及び開口部ＡＰ５は、開口部ＡＰ６よりも第１方向Ｘに沿って拡張されている。開口部ＡＰ４及び開口部ＡＰ５のそれぞれの面積は、開口部ＡＰ６の面積とほぼ同等である。つまり、開口部ＡＰ１乃至ＡＰ６は、いずれもほぼ同等の面積を有している。  
このような第３変形例においても、上記の第３構成例と同様の効果が得られる。
【００７７】
次に、遮光部ＳＬの第４構成例について説明する。  
図７Ａは、遮光部ＳＬ及びスペーサＳＰの第４構成例を示す平面図である。  
遮光部ＳＬは、第１方向Ｘに並んだ複数の主遮光部ＳＬＹと、第２方向Ｙに並んだ複数の副遮光部ＳＬＸとを備えている。これらの主遮光部ＳＬＹ及び副遮光部ＳＬＸは、主に第２遮光膜ＳＬ２によって形成されているが、その少なくとも一部が第１遮光膜ＳＬ１によって形成されていても良い。各画素の色やカラーフィルタＣＦ１乃至ＣＦ３の色については、第１構成例と同様に選択可能である。
【００７８】
ここで、複数の主遮光部ＳＬＹのうちの主遮光部ＳＬＹ１乃至ＳＬＹ５、及び、複数の副遮光部ＳＬＸのうちの副遮光部ＳＬＸ１乃至ＳＬＸ３とで区画された開口部ＡＰ１乃至ＡＰ６に着目する。
【００７９】
開口部ＡＰ１乃至ＡＰ４は、第１方向Ｘにこの順に並んでいる。開口部ＡＰ１は、主遮光部ＳＬＹ１及びＳＬＹ２と副遮光部ＳＬＸ１及びＳＬＸ２とで区画されている。開口部ＡＰ２は、主遮光部ＳＬＹ２及びＳＬＹ３と副遮光部ＳＬＸ１及びＳＬＸ２とで区画されている。開口部ＡＰ３は、主遮光部ＳＬＹ３及びＳＬＹ４と副遮光部ＳＬＸ１及びＳＬＸ２とで区画されている。開口部ＡＰ４は、主遮光部ＳＬＹ４及びＳＬＹ５と副遮光部ＳＬＸ１及びＳＬＸ２とで区画されている。
【００８０】
開口部ＡＰ５は、開口部ＡＰ１の第２方向Ｙに並んでいる。この開口部ＡＰ５は、主遮光部ＳＬＹ１及びＳＬＹ２と副遮光部ＳＬＸ２及びＳＬＸ３とで区画されている。開口部ＡＰ６は、開口部ＡＰ４の第２方向Ｙに並んでいる。この開口部ＡＰ６は、主遮光部ＳＬＹ４及びＳＬＹ５と副遮光部ＳＬＸ２及びＳＬＸ３とで区画されている。一方で、開口部ＡＰ２及び開口部ＡＰ３の第２方向Ｙに並んだ領域には開口部は形成されていない。すなわち、遮光部ＳＬは、開口部ＡＰ５と開口部ＡＰ６との間であって、且つ、開口部ＡＰ２及び開口部ＡＰ３の第２方向Ｙに並んだ領域に延在した延在部ＳＬＥを有している。つまり、隣り合う２画素分の開口部が遮光部ＳＬによって遮光されている。一例では、延在部ＳＬＥによって遮光された領域は、青色のカラーフィルタＣＦ３及び赤色のカラーフィルタＣＦ１と重なる領域（つまり、青色画素及び赤色画素に対応した領域）である。なお、隣り合う３画素分以上の開口部が遮光部ＳＬによって遮光されても良い。
【００８１】
なお、図示した例では、遮光部ＳＬの延在部ＳＬＥは、第２開口部ＡＰ２の第２方向Ｙに並んだ領域でカラーフィルタＣＦ３と重なり、また、第３開口部ＡＰ３の第２方向Ｙに並んだ領域でカラーフィルタＣＦ１と重なっているが、延在部ＳＬＥと重なるカラーフィルタを省略しても良い。延在部ＳＬＥと隣り合う他の開口部との間でセルギャップを揃えるためには、延在部ＳＬＥとカラーフィルタとが重なっていることが望ましい。
【００８２】
スペーサＳＰは、延在部ＳＬＥと対向する位置に配置されている。つまり、スペーサＳＰが配置される位置の周辺は、比較的広い範囲に亘って遮光されている。このため、スペーサＳＰの周囲で液晶分子の配向不良が生じたとしても、これに起因した光漏れを抑制することが可能となる。また、光漏れに起因したコントラスト比の低下を抑制することが可能となる。したがって、表示品位の低下を抑制することが可能となる。
【００８３】
また、このような第４構成例によれば、主遮光部ＳＬＹと副遮光部ＳＬＸとの交差部にスペーサＳＰを配置する場合と比較して、スペーサＳＰと重なる遮光部ＳＬを局所的に拡張する必要がなく、スペーサＳＰの周囲に位置する画素とその他の画素とで開口部での開口率の差を考慮する必要がなくなる。
【００８４】
また、スペーサＳＰは、赤色画素及び青色画素に対応した領域に延在した延在部ＳＬＥに配置されている。赤色、緑色、青色の３原色のうち、最も比視感度が高い色は緑色である。つまり、スペーサＳＰは、比較的目立たない２色の画素に対応した領域を遮光する遮光部ＳＬに配置されている。このため、表示品位への影響を低減することが可能となる。
【００８５】
図７Ｂは、遮光部ＳＬ及びスペーサＳＰの第４変形例を示す平面図である。  
第４変形例は、第４構成例と比較して、単位画素ＵＰが第１方向Ｘに並んだ４つの画素ＰＸＷ、ＰＸＲ、ＰＸＧ、ＰＸＢによって構成された点で相違している。各開口部ＡＰは、画素ＰＸＷ、画素ＰＸＲ、画素ＰＸＧ、及び、画素ＰＸＢに対応して形成されている。各画素の色やカラーフィルタＣＦ１乃至ＣＦ４の色については、第１変形例と同様に選択可能である。
【００８６】
遮光部ＳＬは、隣り合う２画素分の開口部を遮光した延在部ＳＬＥを有している。一例では、延在部ＳＬＥは、緑色のカラーフィルタＣＦ３及び青色のカラーフィルタＣＦ４と重なる領域（つまり、緑色画素及び青色画素に対応した領域）に延在している。スペーサＳＰは、延在部ＳＬＥと対向する位置に配置されている。
【００８７】
また、スペーサＳＰは、緑色画素及び青色画素に対応した領域に延在した延在部ＳＬＥに配置されている。赤色、緑色、青色、白色の４色のうち、最も視認されやすい色は白色である。つまり、スペーサＳＰは、比較的目立たない色の画素に対応した領域を遮光する遮光部ＳＬに配置されている。
【００８８】
このような第４変形例においても、上記の第４構成例と同様の効果が得られる。
【００８９】
図８は、遮光部ＳＬ及びスペーサＳＰの第５構成例を示す平面図である。  
遮光部ＳＬは、第１方向Ｘに並んだ複数の主遮光部ＳＬＹと、第２方向Ｙに並んだ複数の副遮光部ＳＬＸと、スペーサ遮光部ＥＸと、を備えている。主遮光部ＳＬＹ、副遮光部ＳＬＸ、及び、スペーサ遮光部ＥＸは、主に第２遮光膜ＳＬ２によって形成されているが、その少なくとも一部が第１遮光膜ＳＬ１によって形成されていても良い。主遮光部ＳＬＹは、ソース配線Ｓと対向し、副遮光部ＳＬＸは、ゲート配線Ｇと対向している。
【００９０】
ここで、複数の主遮光部ＳＬＹのうちの主遮光部ＳＬＹ１乃至ＳＬＹ４、複数の副遮光部ＳＬＸのうちの副遮光部ＳＬＸ１乃至ＳＬＸ３、及び、開口部ＡＰ１乃至ＡＰ６に着目する。主遮光部ＳＬＹ１乃至ＳＬＹ４は、第１方向Ｘに順に並んだソース配線Ｓ１乃至Ｓ４とそれぞれ対向している。副遮光部ＳＬＸ１乃至ＳＬＸ３は、第２方向Ｙに順に並んだゲート配線Ｇ１乃至Ｇ３とそれぞれ対向している。
【００９１】
副遮光部ＳＬＸ１乃至ＳＬＸ３は、いずれも主遮光部ＳＬＹ１乃至ＳＬＹ４と交差している。主遮光部ＳＬＹ１乃至ＳＬＹ４は、それぞれ第１方向Ｘに沿ってほぼ一定の幅を有している。副遮光部ＳＬＸ１及びＳＬＸ３は、それぞれ第２方向Ｙに沿ってほぼ一定の幅を有している。
【００９２】
スペーサ遮光部ＥＸは、スペーサＳＰの周囲に位置している。一例では、スペーサＳＰは、Ｘ−Ｙ平面において、ソース配線Ｓ２とソース配線Ｓ３との間に位置し、また、ゲート配線Ｇ２と重なっている。スペーサ遮光部ＥＸは、スペーサＳＰを中心として等方的に延在している。
【００９３】
スペーサ遮光部ＥＸは、少なくとも３つの部分Ｐ１乃至Ｐ３を有している。部分Ｐ１は、主遮光部ＳＬＹ１と主遮光部ＳＬＹ２との間において、主遮光部ＳＬＹ２及び副遮光部ＳＬＸ２と一体的に形成されている。部分Ｐ２は、主遮光部ＳＬＹ２と主遮光部ＳＬＹ３との間において、主遮光部ＳＬＹ２、主遮光部ＳＬＹ３、及び、副遮光部ＳＬＸ２と一体的に形成されている。部分Ｐ３は、主遮光部ＳＬＹ３と主遮光部ＳＬＹ４との間において、主遮光部ＳＬ３及び副遮光部ＳＬＸ２と一体的に形成されている。図示した例では、部分Ｐ１乃至Ｐ３は、いずれもゲート配線Ｇ２よりも、ゲート配線Ｇ１側に位置している。
【００９４】
図示したスペーサ遮光部ＥＸは、さらに、３つの部分Ｐ４乃至Ｐ６を有している。部分Ｐ４乃至Ｐ６は、いずれもゲート配線Ｇ２よりも、ゲート配線Ｇ３側に位置している。部分Ｐ４は、主遮光部ＳＬＹ１と主遮光部ＳＬＹ２との間において、主遮光部ＳＬＹ２及び副遮光部ＳＬＸ２と一体的に形成されている。部分Ｐ５は、主遮光部ＳＬＹ２と主遮光部ＳＬＹ３との間において、主遮光部ＳＬＹ２、主遮光部ＳＬＹ３、及び、副遮光部ＳＬＸ２と一体的に形成されている。部分Ｐ６は、主遮光部ＳＬＹ３と主遮光部ＳＬＹ４との間において、主遮光部ＳＬ３及び副遮光部ＳＬＸ２と一体的に形成されている。これらの部分Ｐ１乃至Ｐ６は、主遮光部ＳＬＹ２及びＳＬＹ３と、副遮光部ＳＬＸ２とを伴ってほぼ円形の領域を形成している。
【００９５】
開口部ＡＰ１乃至ＡＰ３は、第１方向Ｘにこの順に並んでいる。開口部ＡＰ１は、主遮光部ＳＬＹ１及びＳＬＹ２と副遮光部ＳＬＸ１及びＳＬＸ２とで区画されている。開口部ＡＰ２は、主遮光部ＳＬＹ２及びＳＬＹ３と副遮光部ＳＬＸ１及びＳＬＸ２とで区画されている。開口部ＡＰ３は、主遮光部ＳＬＹ３及びＳＬＹ４と副遮光部ＳＬＸ１及びＳＬＸ２とで区画されている。部分Ｐ１は、開口部ＡＰ１のうち、スペーサＳＰに近接する略三角形状の領域と重なっている。部分Ｐ２は、開口部ＡＰ２のうち、スペーサＳＰに近接する略四角形状の領域と重なっている。部分Ｐ３は、開口部ＡＰ３のうち、スペーサＳＰに近接する略三角形状の領域と重なっている。部分Ｐ２の面積は、一例では、部分Ｐ１及びＰ３のそれぞれの面積よりも大きい。
【００９６】
開口部ＡＰ４乃至ＡＰ６は、第１方向Ｘにこの順に並んでいる。開口部ＡＰ４は、開口部ＡＰ１の第２方向Ｙに並んでいる。開口部ＡＰ４は、主遮光部ＳＬＹ１及びＳＬＹ２と副遮光部ＳＬＸ２及びＳＬＸ３とで区画されている。開口部ＡＰ５は、開口部ＡＰ２の第２方向Ｙに並んでいる。開口部ＡＰ５は、主遮光部ＳＬＹ２及びＳＬＹ３と副遮光部ＳＬＸ２及びＳＬＸ３とで区画されている。開口部ＡＰ６は、開口部ＡＰ３の第２方向Ｙに並んでいる。開口部ＡＰ６は、主遮光部ＳＬＹ３及びＳＬＹ４と副遮光部ＳＬＸ２及びＳＬＸ３とで区画されている。部分Ｐ４は、開口部ＡＰ４のうち、スペーサＳＰに近接する略三角形状の領域と重なっている。部分Ｐ５は、開口部ＡＰ５のうち、スペーサＳＰに近接する略四角形状の領域と重なっている。部分Ｐ６は、開口部ＡＰ６のうち、スペーサＳＰに近接する略三角形状の領域と重なっている。部分Ｐ５の面積は、一例では、部分Ｐ４及Ｐ６のそれぞれの面積よりも大きい。
【００９７】
開口部ＡＰ１乃至ＡＰ６は、いずれも同等の面積を有する四角形状に形成されているが、上記の通り、それぞれスペーサ遮光部ＥＸの部分Ｐ１乃至Ｐ６と重なっているため、それぞれの実質的な面積は異なっている。一例では、開口部ＡＰ１及び開口部ＡＰ４はほぼ同等の面積を有している。開口部ＡＰ２及び開口部ＡＰ５はほぼ同等の面積を有している。開口部ＡＰ３及び開口部ＡＰ６はほぼ同等の面積を有している。開口部ＡＰ２の面積は、開口部ＡＰ１及びＡＰ３の面積よりも小さい。これらの開口部ＡＰ１乃至ＡＰ６の面積の大小関係については、スペーサＳＰの位置あるいはスペーサ遮光部ＥＸの位置によって異なる。また、表示パネルＰＮＬは、セルギャップを形成するためのスペーサの他に、定常状態でセルギャップよりも小さい高さのサブスペーサを備えている場合もある。サブスペーサの周囲に別途スペーサ遮光部を設ける場合には、開口部ＡＰ１乃至ＡＰ６の面積の大小関係は、図示した例とは異なる場合もあり得る。
【００９８】
開口部ＡＰ１乃至ＡＰ６には、それぞれカラーフィルタＣＦ１乃至ＣＦ６が配置されている。一例では、第２方向Ｙに並ぶカラーフィルタがそれぞれ同一色のカラーフィルタである。例えば、カラーフィルタＣＦ１及びＣＦ４が緑色カラーフィルタであり、カラーフィルタＣＦ２及びＣＦ５が青色カラーフィルタであり、カラーフィルタＣＦ３及びＣＦ６が赤色カラーフィルタである。また、他の例では、第２方向Ｙに並ぶカラーフィルタがそれぞれ異なる色のカラーフィルタである。例えば、カラーフィルタＣＦ１及びＣＦ６が緑色カラーフィルタであり、カラーフィルタＣＦ２及びＣＦ４が赤色カラーフィルタであり、カラーフィルタＣＦ３及びＣＦ５が青色カラーフィルタである。
【００９９】
なお、別の観点では、スペーサ遮光部ＥＸは、副遮光部ＳＬＸ２が局所的に拡張されたものとみなすこともできる。すなわち、副遮光部ＳＬＸ２は、開口部ＡＰ１乃至ＡＰ３と開口部ＡＰ４乃至ＡＰ６との間に位置している。副遮光部ＳＬＸ２は、主遮光部ＳＬＹ２と主遮光部ＳＬＹ３との間で第２方向Ｙに沿って拡張され、上記の部分Ｐ２及びＰ５を構成している。また、副遮光部ＳＬＸ２は、主遮光部ＳＬＹ１と主遮光部ＳＬＹ２との間において、スペーサＳＰと近接する側で第２方向Ｙに沿って拡張され、上記の部分Ｐ１及びＰ４を構成している。副遮光部ＳＬＸ２は、主遮光部ＳＬＹ３と主遮光部ＳＬＹ４との間において、スペーサＳＰと近接する側で第２方向Ｙに沿って拡張され、上記の部分Ｐ３及びＰ６を構成している。副遮光部ＳＬＸ２は、主遮光部ＳＬＹ１と主遮光部ＳＬＹ２との間において幅Ｗ１を有し、主遮光部ＳＬＹ２と主遮光部ＳＬＹ３との間において幅Ｗ２を有し、主遮光部ＳＬＹ３と主遮光部ＳＬＹ４との間において幅Ｗ３を有している。幅Ｗ２は、幅Ｗ１及びＷ３よりも大きい。
【０１００】
スペーサＳＰは、スペーサ遮光部ＥＸと対向している。つまり、スペーサＳＰが配置される位置の周辺は、広範囲に亘って遮光されている。このため、スペーサＳＰの周囲で液晶分子の配向不良が生じたとしても、これに起因した光漏れを抑制することが可能となる。また、光漏れに起因したコントラスト比の低下を抑制することが可能となる。したがって、表示品位の低下を抑制することが可能となる。
【０１０１】
また、第２方向Ｙに並ぶ開口部にそれぞれ異なる色のカラーフィルタが配置される場合、スペーサＳＰを挟んで第２方向Ｙに並ぶカラーフィルタＣＦ２及びＣＦ５は、緑色以外の色のカラーフィルタであることが望ましい。例えば、スペーサＳＰは、赤色のカラーフィルタＣＦ２と、青色のカラーフィルタＣＦ５との間に配置される。つまり、スペーサＳＰは、比較的目立たない２色の画素に延在したスペーサ遮光部ＥＸに配置されている。このため、表示品位への影響を低減することが可能となる。
【０１０２】
図９は、図８に示したスペーサＳＰと対向するアレイ基板ＡＲの構造を示す平面図である。ここでは、説明に必要な主要部のみを図示し、また、画素電極ＰＥ１乃至ＰＥ３を点線で示し、遮光部ＳＬを一点鎖線で示している。
【０１０３】
スイッチング素子ＳＷ１乃至ＳＷ３は、第１方向Ｘに並んでいる。スイッチング素子ＳＷ１は、ゲート配線Ｇ２及びソース配線Ｓ１と電気的に接続されている。スイッチング素子ＳＷ１は、ソース配線Ｓ１とソース配線Ｓ２との間に位置する中継電極ＲＥ１を備えている。スイッチング素子ＳＷ２は、ゲート配線Ｇ２及びソース配線Ｓ２と電気的に接続されている。スイッチング素子ＳＷ２は、ソース配線Ｓ２とソース配線Ｓ３との間に位置する中継電極ＲＥ２を備えている。スイッチング素子ＳＷ３は、ゲート配線Ｇ２及びソース配線Ｓ３と電気的に接続されている。スイッチング素子ＳＷ３は、ソース配線Ｓ３とソース配線Ｓ４との間に位置する中継電極ＲＥ３を備えている。
【０１０４】
中継電極ＲＥ１及びＲＥ３は、第１方向Ｘに沿った同一直線上に位置している。中継電極ＲＥ２は、中継電極ＲＥ１と中継電極ＲＥ３との間に位置し、中継電極ＲＥ１及びＲＥ３よりもゲート配線Ｇ２から離間する側に延出している。また、中継電極ＲＥ１と画素電極ＰＥ１とを接続するためのコンタクトホールＣＨ３１は、中継電極ＲＥ３と画素電極ＰＥ３とを接続するためのコンタクトホールＣＨ３３と、第１方向Ｘに沿った同一直線上に位置している。中継電極ＲＥ２と画素電極ＰＥ２とを接続するためのコンタクトホールＣＨ３２は、コンタクトホールＣＨ３１及びＣＨ３３よりもゲート配線Ｇ２から離間する側に位置している。また、コンタクトホールＣＨ３２は、Ｘ−Ｙ平面において、遮光部ＳＬのうち部分Ｐ２と重なっている。
【０１０５】
スペーサＳＰは、ソース配線Ｓ２とソース配線Ｓ３との間に位置し、その一部がＸ−Ｙ平面において中継電極ＲＥ３２と重なっている。また、スペーサＳＰは、Ｘ−Ｙ平面において、コンタクトホールＣＨ３２とは重ならない。このため、スペーサＳＰがコンタクトホールＣＨ３２に落下することがなく、所望のセルギャップを得ることが可能となる。
【０１０６】
図１０は、遮光部ＳＬ及びスペーサＳＰの第６構成例を示す平面図である。  
図１０に示した第６構成例は、図８に示した第５構成例と比較して、スペーサ遮光部ＥＸの形状が相違している。図示した例では、スペーサ遮光部ＥＸは、４つの部分Ｐ１１乃至Ｐ１４を有している。部分Ｐ１１は上記の部分Ｐ４に相当し、部分Ｐ１２は上記の部分Ｐ２に相当し、部分Ｐ１３は上記の部分Ｐ３に相当し、部分Ｐ１４は上記の部分Ｐ５に相当する。部分Ｐ１１は、主遮光部ＳＬＹ１及びＳＬＹ２の間に位置している。部分Ｐ１２及びＰ１４は、主遮光部ＳＬＹ２及びＳＬＹ３の間に位置している。部分Ｐ１３は、主遮光部ＳＬＹ３及びＳＬＹ４の間に位置している。部分Ｐ１２及びＰ１３は、ゲート配線Ｇ２よりもゲート配線Ｇ１側に位置している。部分Ｐ１１及びＰ１４は、ゲート配線Ｇ２よりもゲート配線Ｇ３側に位置している。スペーサＳＰは、部分Ｐ１２及びＰ１４の間に位置している。
【０１０７】
図示した例では、スペーサＳＰと開口部ＡＰ１との間の第１距離Ｌ１１は、スペーサＳＰと開口部ＡＰ２との間の第２距離Ｌ１２よりも短い。また、スペーサＳＰと開口部ＡＰ３との間の距離、スペーサＳＰと開口部ＡＰ４との間の距離、及び、スペーサＳＰと開口部ＡＰ５との間の距離は、それぞれ第２距離Ｌ１２と同等である。また、スペーサＳＰと開口部ＡＰ６との間の距離は、第１距離Ｌ１１と同等である。スペーサＳＰを囲む６個の開口部ＡＰ１乃至ＡＰ６のうち、開口部ＡＰ１及びＡＰ６は最大の面積を有し、開口部ＡＰ２及びＡＰ５は最小の面積を有している。開口部ＡＰ３は、開口部ＡＰ２よりも大きく、開口部ＡＰ１よりも小さい面積を有している。開口部ＡＰ４は、開口部ＡＰ５よりも大きく、開口部ＡＰ６よりも小さい面積を有している。
【０１０８】
開口部ＡＰ１乃至ＡＰ６には、それぞれカラーフィルタＣＦ１乃至ＣＦ６が配置されている。一例では、カラーフィルタＣＦ１及びＣＦ６が緑色カラーフィルタであり、カラーフィルタＣＦ２及びＣＦ４が赤色カラーフィルタであり、カラーフィルタＣＦ３及びＣＦ５が青色カラーフィルタである。
【０１０９】
このような第６構成例によれば、第５構成例と同様の効果が得られるのに加えて、スペーサ遮光部ＥＸは、比視感度が高い緑色の開口部には形成されず、比較的目立たない赤色及び青色の開口部に形成されるため、表示品位への影響をさらに低減することが可能となる。
【０１１０】
図１１は、遮光部ＳＬ及びスペーサＳＰの第７構成例を示す平面図である。  
図１１に示した第７構成例は、図１０に示した第６構成例と比較して、スペーサ遮光部ＥＸの形状が相違している。図示した例では、スペーサ遮光部ＥＸは、２つの部分Ｐ２１及びＰ２２を有している。部分Ｐ２１は上記の部分Ｐ２に相当し、部分Ｐ２２は上記の部分Ｐ５に相当する。部分Ｐ２１及びＰ２２は、主遮光部ＳＬＹ２及びＳＬＹ３の間に位置している。部分Ｐ２１は、ゲート配線Ｇ２よりもゲート配線Ｇ１側に位置している。部分Ｐ２２は、ゲート配線Ｇ２よりもゲート配線Ｇ３側に位置している。スペーサＳＰは、部分Ｐ２１及びＰ２２の間に位置している。
【０１１１】
図示した例では、第６構成例と同様に第１距離Ｌ１１は第２距離Ｌ１２よりも短い点に加えて、スペーサＳＰと開口部ＡＰ３との間の第３距離Ｌ１３は、第２距離Ｌ１２よりも短い。第１距離Ｌ１１は、第３距離Ｌ１３と同等である。また、スペーサＳＰと開口部ＡＰ４との間の距離、及び、スペーサＳＰと開口部ＡＰ６との間の距離は、それぞれ第１距離Ｌ１１と同等である。また、スペーサＳＰと開口部ＡＰ５との間の距離は、第２距離Ｌ１２と同等である。スペーサＳＰを囲む６個の開口部ＡＰ１乃至ＡＰ６のうち、開口部ＡＰ１、ＡＰ３、ＡＰ４、及び、ＡＰ６は最大の面積を有し、開口部ＡＰ２及びＡＰ５は最小の面積を有している。
【０１１２】
開口部ＡＰ１乃至ＡＰ６には、それぞれカラーフィルタＣＦ１乃至ＣＦ６が配置されている。一例では、カラーフィルタＣＦ１及びＣＦ６が緑色カラーフィルタであり、カラーフィルタＣＦ２及びＣＦ４が赤色カラーフィルタであり、カラーフィルタＣＦ３及びＣＦ５が青色カラーフィルタである。
【０１１３】
このような第７構成例によれば、第６構成例と同様の効果が得られるのに加えて、スペーサ遮光部ＥＸは、スペーサＳＰを挟んで第２方向Ｙに並んだ２つの開口部ＡＰ２及びＡＰ５に形成されるため、表示品位への影響をさらに低減することが可能となる。
【０１１４】
図１２は、遮光部ＳＬ及びスペーサＳＰの第８構成例を示す平面図である。  
この第８構成例では、第１方向Ｘに並んだ複数の主遮光部ＳＬＹのうちの主遮光部ＳＬＹ１乃至ＳＬＹ３、第２方向Ｙに並んだ複数の副遮光部ＳＬＸのうちの副遮光部ＳＬＸ１乃至ＳＬＸ３、及び、開口部ＡＰ１乃至ＡＰ８に着目する。
【０１１５】
副遮光部ＳＬＸ１乃至ＳＬＸ３は、いずれも主遮光部ＳＬＹ１乃至ＳＬＹ３と交差している。主遮光部ＳＬＹ１乃至ＳＬＹ３は、それぞれほぼ一定の幅を有している。副遮光部ＳＬＸ１及びＳＬＸ３は、それぞれほぼ一定の幅を有している。
【０１１６】
図示した例では、スペーサＳＰは、Ｘ−Ｙ平面において、ゲート配線Ｇ２とソース配線Ｓ２との交差部と重なっている。スペーサ遮光部ＥＸは、スペーサＳＰを中心として当方的に延在している。詳述しないが、スペーサ遮光部ＥＸは、主遮光部ＳＬＹ１乃至ＳＬＹ３、及び、副遮光部ＳＬＸ２と一体的に形成された部分を有している。
【０１１７】
開口部ＡＰ１乃至ＡＰ４は、第１方向Ｘにこの順に並んでいる。開口部ＡＰ５乃至ＡＰ８は、開口部ＡＰ１乃至ＡＰ４のそれぞれ第２方向Ｙに並んでいる。副遮光部ＳＬＸ２は、開口部ＡＰ１乃至ＡＰ４と開口部ＡＰ５乃至ＡＰ８との間に位置している。主遮光部ＳＬＹ１は、開口部ＡＰ１と開口部ＡＰ２との間、及び、開口部ＡＰ５と開口部ＡＰ６との間に位置している。主遮光部ＳＬＹ２は、開口部ＡＰ２と開口部ＡＰ３との間、及び、開口部ＡＰ６と開口部ＡＰ７との間に位置している。主遮光部ＳＬＹ３は、開口部ＡＰ３と開口部ＡＰ４との間、及び、開口部ＡＰ７と開口部ＡＰ８との間に位置している。
【０１１８】
スペーサ遮光部ＥＸが副遮光部ＳＬＸ２の一部とみなす場合、副遮光部ＳＬＸ２は、開口部ＡＰ１と開口部ＡＰ５との間の第２方向Ｙに沿った幅Ｗ１、開口部ＡＰ２と開口部ＡＰ６との間の第２方向Ｙに沿った幅Ｗ２、開口部ＡＰ３と開口部ＡＰ７との間の第２方向Ｙに沿った幅Ｗ３、及び、開口部ＡＰ４と開口部ＡＰ８との間の第２方向Ｙに沿った幅Ｗ４を有している。幅Ｗ２は、幅Ｗ１よりも大きい。幅Ｗ３は、幅Ｗ４よりも大きい。
【０１１９】
開口部ＡＰ１乃至ＡＰ８には、それぞれカラーフィルタＣＦ１乃至ＣＦ８が配置されている。一例では、第２方向Ｙに並ぶカラーフィルタがそれぞれ同一色のカラーフィルタである。例えば、カラーフィルタＣＦ１、ＣＦ４、ＣＦ５、及び、ＣＦ８が緑色カラーフィルタであり、カラーフィルタＣＦ２及びＣＦ６が青色カラーフィルタであり、カラーフィルタＣＦ３及びＣＦ７が赤色カラーフィルタである。
【０１２０】
スペーサＳＰは、スペーサ遮光部ＥＸと対向しているため、上記の第５構成例で説明したのと同様の効果が得られる。
【０１２１】
図１３は、遮光部ＳＬ及びスペーサＳＰの第９構成例を示す平面図である。  
図１３に示した第９構成例は、図１２に示した第８構成例と比較して、スペーサ遮光部ＥＸの形状が相違している。スペーサＳＰと開口部との間の距離に着目すると、スペーサＳＰと開口部ＡＰ１との間の第１距離Ｌ２１は、スペーサＳＰと開口部ＡＰ２との間の第２距離Ｌ２２よりも短い。スペーサＳＰと開口部ＡＰ３との間の距離、スペーサＳＰと開口部ＡＰ６との間の距離、及び、スペーサＳＰと開口部ＡＰ７との間の距離は、それぞれ第２距離Ｌ２２と同等である。また、スペーサＳＰと開口部ＡＰ４との間の距離、スペーサＳＰと開口部ＡＰ５との間の距離、及び、スペーサＳＰと開口部ＡＰ８との間の距離は、それぞれ第１距離Ｌ２１と同等である。スペーサＳＰを囲む８個の開口部ＡＰ１乃至ＡＰ８のうち、開口部ＡＰ１、ＡＰ４、ＡＰ５、及び、ＡＰ８は最大の面積を有し、開口部ＡＰ２、ＡＰ３、ＡＰ６、及び、ＡＰ７は最小の面積を有している。一例では、カラーフィルタＣＦ１及びＣＦ６が緑色カラーフィルタであり、カラーフィルタＣＦ２及びＣＦ４が赤色カラーフィルタであり、カラーフィルタＣＦ３及びＣＦ５が青色カラーフィルタである。
【０１２２】
このような第９構成例によれば、第５構成例と同様の効果が得られるのに加えて、スペーサ遮光部ＥＸは、比視感度が高い緑色の開口部には形成されず、比較的目立たない赤色及び青色の開口部に形成されるため、表示品位への影響をさらに低減することが可能となる。
【０１２３】
上記の第１乃至第９構成例はいずれも組み合わせ可能であり、また、第１乃至第４変形例はいずれも組み合わせ可能である。
【０１２４】
上記の第１乃至第９構成例、及び、第１乃至第４変形例は、いずれも単位画素ＵＰが第１方向に並んだ３つまたは４つの色画素によって構成された場合について説明したが、単位画素ＵＰの構成はこれらに限られるものではない。単位画素ＵＰの他の構成について以下に説明する。
【０１２５】
図１４は、単位画素ＵＰの他の構成例を示す図である。  
すなわち、単位画素ＵＰは、画素ＰＸＲ１、画素ＰＸＧ１、画素ＰＸＢ、画素ＰＸＲ２、画素ＰＸＧ２、及び、画素ＰＸＷによって構成されている。画素ＰＸＲ１、画素ＰＸＧ１、及び、画素ＰＸＢは、第１方向Ｘに並んでいる。画素ＰＸＲ２、画素ＰＸＧ２、及び、画素ＰＸＷは、第１方向Ｘに並んでいる。画素ＰＸＲ１及び画素ＰＸＲ２は、第２方向Ｙに並び、例えばいずれも赤色画素である。画素ＰＸＧ１及び画素ＰＸＧ２は、第２方向Ｙに並び、例えばいずれも緑色画素である。画素ＰＸＢ及び画素ＰＸＷは、第２方向Ｙに並び、例えば、画素ＰＸＢは青色画素であり、画素ＰＸＷは白色画素である。なお、図中の各色画素について、同一色を表示する色画素には同一のハッチングを施して区別している。
【０１２６】
図１５は、単位画素ＵＰの他の構成例を示す図である。  
すなわち、単位画素ＵＰは、画素ＰＸＲ１、画素ＰＸＧ１、画素ＰＸＢ、画素ＰＸＲ２、画素ＰＸＧ２、及び、画素ＰＸＷによって構成されている。画素ＰＸＲ１及び画素ＰＸＧ１は、第２方向Ｙに並んでいる。また、画素ＰＸＲ１及び画素ＰＸＧ１は、画素ＰＸＢと第１方向Ｘに並んでいる。画素ＰＸＲ２及び画素ＰＸＧ２は、第２方向Ｙに並んでいる。また、画素ＰＸＲ２及び画素ＰＸＧ２は、画素ＰＸＷと第１方向Ｘに並んでいる。画素ＰＸＲ１及び画素ＰＸＲ２は、第２方向Ｙに並び、例えばいずれも赤色画素である。画素ＰＸＧ１及び画素ＰＸＧ２は、第２方向Ｙに並び、例えばいずれも緑色画素である。画素ＰＸＢ及び画素ＰＸＷは、第２方向Ｙに並び、例えば、画素ＰＸＢは青色画素であり、画素ＰＸＷは白色画素である。なお、図中の各色画素について、同一色を表示する色画素には同一のハッチングを施して区別している。
【０１２７】
図１６は、単位画素ＵＰの他の構成例を示す図である。  
すなわち、単位画素ＵＰは、第１方向Ｘに並んだ３種類の画素(赤色画素)ＰＸＲ、画素（緑色画素）ＰＸＧ、画素（青色画素）ＰＸＢを備えている。単位画素ＵＰにおいて、１行目は３つの画素ＰＸＲ、画素ＰＸＧ、画素ＰＸＢがこの順に並び、２行目は３つの画素ＰＸＢ、画素ＰＸＲ、画素ＰＸＧがこの順に並び、３行目は３つの画素ＰＸＧ、画素ＰＸＢ、画素ＰＸＲがこの順に並び、４行目は３つの画素ＰＸＢ、画素ＰＸＲ、画素ＰＸＧがこの順に並んでいる。なお、図中の各色画素について、同一色を表示する色画素には同一のハッチングを施して区別している。
【０１２８】
図１４乃至１６に示した単位画素ＵＰにおいても、上記の第１乃至第９構成例、及び、第１乃至第４変形例で説明した遮光部ＳＬを適用することにより、表示品位の低下を招くことなく、スペーサＳＰを配置するための領域を形成することができる。
【０１２９】
以上説明したように、本実施形態によれば、表示品位の低下を抑制することが可能な液晶表示装置を提供することができる。
【０１３０】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１３１】
ＰＮＬ…表示パネル  ＡＲ…アレイ基板  ＣＴ…対向基板  ＬＱ…液晶層
ＳＬ…遮光部  ＳＬＹ…主遮光部  ＳＬＸ…副遮光部
ＡＰ…開口部  ＣＲ…交差部
ＳＬ１…第１遮光膜  ＳＬ２…第２遮光膜
ＣＦ１〜ＣＦ４…カラーフィルタ
【図１】
2016122175.tif 000003
【図２】
2016122175.tif 000004
【図３】
2016122175.tif 000005
【図４Ａ】
2016122175.tif 000006
【図４Ｂ】
2016122175.tif 000007
【図４Ｃ】
2016122175.tif 000008
【図５Ａ】
2016122175.tif 000009
【図５Ｂ】
2016122175.tif 000010
【図６Ａ】
2016122175.tif 000011
【図６Ｂ】
2016122175.tif 000012
【図７Ａ】
2016122175.tif 000013
【図７Ｂ】
2016122175.tif 000014
【図８】
2016122175.tif 000015
【図９】
2016122175.tif 000016
【図１０】
2016122175.tif 000017
【図１１】
2016122175.tif 000018
【図１２】
2016122175.tif 000019
【図１３】
2016122175.tif 000020
【図１４】
2016122175.tif 000021
【図１５】
2016122175.tif 000022
【図１６】
2016122175.tif 000023